(57)【要約】【課題】加速度検出により衝撃を事前に察知し、衝撃を軽減する携帯型端末を提供する。【解決手段】携帯端末１に加速度がかかると、加速度センサー１７が稼動し、加速度判定部１８は、検出された加速度が規定値を超えていたら規定値超過、規定値を超えていなければ規定値以下と判定する。加速度超過の場合、衝撃軽減部１９が稼動し、携帯端末１の表面積が一番小さくなる形状にする。衝撃軽減部１９により携帯端末１が表面積の一番小さい形状になると、記憶部１２の情報が複製され外部記憶部１３に記憶される。【選択図】図１
2007158694.tif 000002
【特許請求の範囲】
【請求項１】
加速度の規定値を記憶する記憶部と、
加速度を検出する加速度検出部と、
該加速度検出部により検出される加速度が、前記記憶部に記憶されている規定値を超えているか否かを判定する加速度判定部と、
該加速度判定部で加速度超過と判定されると、端末への衝撃の負担を軽減する衝撃軽減部と
を備えることを特徴とする携帯型端末。
【請求項２】
各種情報と加速度の規定値とを記憶する記憶部と、
加速度を検出する加速度検出部と、
予め登録した規定値を超えているかを判定する手段と、
該加速度検出部により検出される加速度が、前記記憶部に記憶されている規定値を超えているか否かを判定する加速度判定部と、
該加速度判定部で加速度超過と判定されると、前記記憶部に記憶されている各種情報の内容を複製し、複製した前記各種情報の内容を外部記憶部に転送する情報転送部と
を備えることを特徴とする携帯型端末。
【請求項３】
前記外部記憶部は、前記携帯端末とは別体に設けられ、
前記加速度判定部で加速度超過と判定されると、該携帯端末の無線通信部を介して前記外部記憶部に無線通信により転送されることを特徴とする請求項２に記載の携帯型端末。
【請求項４】
前記記憶部は各種情報を記憶し、
前記加速度判定部で加速度超過と判定されると、前記記憶部に記憶されている各種情報の内容を複製し、複製した前記各種情報の内容を外部記憶部に転送する情報転送部と
を備えることを特徴とする請求項１に記載の携帯型端末。
【請求項５】
さらに、前記既定値を入力する入力部を備えることを特徴とする請求項１から４までのいずれか１項に記載の携帯型端末。
【請求項６】
前記加速度判定部において加速度超過と判定されると、
加速度超過を報知する加速度超過報知部を備えることを特徴とする請求項１から５までのいずれか１項に記載の携帯型端末。
【請求項７】
前記衝撃軽減部は、端末を保護する端末保護部を機能させることを特徴とする請求項１，３から６までのいずれか１項に記載の携帯型端末。
【請求項８】
前記衝撃軽減部は、端末の表面積が一番小さい状態にする手段であることを特徴とする請求項１、４から７までのいずれか１項に記載の携帯型端末。
【請求項９】
前記衝撃軽減部は、端末を初期状態にする機能を有することを特徴とする請求項１、４から７までのいずれか１項に記載の携帯型端末。
【請求項１０】
前記端末保護部は、前記加速度報知部により加速度超過を知らされると、端末の表面を覆う保護カバーを有することを特徴とする請求項７に記載の携帯型端末。
【請求項１１】
前記端末保護部は、前記加速度報知部により加速度超過を知らされると、前記保護カバーを広げることにより携帯端末を包み込んで衝撃から保護することを特徴とする請求項１０に記載の携帯型端末。
【請求項１２】
前記端末保護部は、保護カバーを内側に内蔵し、前記加速度報知部により加速度超過を知らされると保護カバーが広がって携帯端末を包み込んで衝撃から保護するカスタムパネルを有していることを特徴とする請求項１０に記載の携帯型端末。
【請求項１３】
請求項１から１２までに記載の機能をコンピュータに実行させるためのプログラム。
【請求項１４】
請求項１３に記載のプログラムを格納したコンピュータ読み取り可能な記憶媒体。
【発明の詳細な説明】
【技術分野】
【０００１】
本発明は、携帯型端末に関し、特に、加速度を検出し衝撃を軽減する手段を有する携帯型端末と、その軽減方法及びカバーに関する。
【背景技術】
【０００２】
衝撃を避けるための携帯型端末に関し、以下のような従来例がある。特許文献１には、変位により端末の落下を判別し保護する技術が記載されている。また、特許文献２には、落下による衝撃からアンテナの保護を図る技術が記載されている。
【０００３】
さらに、近年ではＩＣチップを搭載したＦｅｌｉｃａ対応の「おさいふケータイ」やモバイルＳｕｉｃａ（Ｓｕｉｃａ機能（イオ、定期券、ショッピング機能）を搭載した携帯電話）のように、センサーに近づけて読み取りを行う携帯端末が増加している（尚、これらは商標又は登録商標である）。
【特許文献１】特開２００２−２４７１５３号公報
【特許文献２】特開２００２−２７１４６９号公報
【発明の開示】
【発明が解決しようとする課題】
【０００４】
しかしながら、特許文献１に記載された装置は、変位により落下を検出する方法を利用していることから、エレベータやエスカレータなどの一般的な移動手段による移動に対して保護方法が動作してしまう可能性があり、落下と移動とを混同することによる誤動作を避けることが困難であるという問題を有している。
【０００５】
また、特許文献２に記載された装置では、アンテナの保護のみを対象としており、近年の携帯端末では内蔵アンテナが主流であること、外付けアンテナであってもアンテナの保護のみでは携帯端末の保護は不十分であることなどの問題を有している。
【０００６】
また、上記のおさいふケータイやモバイルＳｕｉｃａのような携帯端末において、センサーに読み取りをさせるときに、対象物に勢いよく触れさせてしまい、携帯端末を破損、故障させてしまう可能性があるという問題もある。
【０００７】
本発明は、そのような状況に鑑みてなされたもので、事前に対策をとり、装置への衝撃を軽減し、さらに装置が故障してしまったときも最新のデータだけは残るようにするものである。
【課題を解決するための手段】
【０００８】
本発明はこうした課題を解決するための手段を提供するもので、各発明は、以下の技術手段を構成する。尚、本発明は変位ではなく加速度を検出することにより、事前に対策をとり衝撃を軽減することを特徴とする。また、データのバックアップも行うことで、データ消失などの危険を未然に防止するものである。
【０００９】
本発明の一観点によれば、加速度の規定値を記憶する記憶部と、加速度を検出する加速度検出部と、該加速度検出部により検出される加速度が、前記記憶部に記憶されている規定値を超えているか否かを判定する加速度判定部と、該加速度判定部で加速度超過と判定されると、端末への衝撃の負担を軽減する衝撃軽減部とを備えることを特徴とする携帯型端末が提供される。
【００１０】
また、各種情報と加速度の規定値とを記憶する記憶部と、加速度を検出する加速度検出部と、予め登録した規定値を超えているかを判定する手段と、該加速度検出部により検出される加速度が、前記記憶部に記憶されている規定値を超えているか否かを判定する加速度判定部と、該加速度判定部で加速度超過と判定されると、前記記憶部に記憶されている各種情報の内容を複製し、複製した前記各種情報の内容を外部記憶部に転送する情報転送部とを備えることを特徴とする携帯型端末が提供される。
【００１１】
前記記憶部は各種情報を記憶し、前記加速度判定部で加速度超過と判定されると、前記記憶部に記憶されている各種情報の内容を複製し、複製した前記各種情報の内容を外部記憶部に転送する情報転送部を備えることが好ましい。
【００１２】
前記加速度判定部において加速度超過と判定されると、加速度超過を報知する加速度超過報知部を備えることが好ましい。前記衝撃軽減部は、端末を保護する端末保護部を機能させることが好ましい。前記衝撃軽減部は、端末の表面積が一番小さい状態にする手段であることを特徴とする。前記端末保護部は、前記加速度報知部により加速度超過を知らされると、端末の表面を覆う保護カバーを有することを特徴とする。前記端末保護部は、前記加速度報知部により加速度超過を知らされると、保護カバーを広げることにより携帯端末を包み込んで衝撃から保護することを特徴とする。前記端末保護部は、保護カバーを内側に内蔵し、前記加速度報知部により加速度超過を知らされると保護カバーが広がって携帯端末を包み込んで衝撃から保護するカスタムパネルを有していることを特徴とする。
上記機能をコンピュータに実行させるためのプログラムやプログラムを格納したコンピュータ読みとり可能な記憶媒体も本発明に含まれる。
【発明の効果】
【００１３】
本発明により、端末が衝撃を受ける前に対策がとられるので衝撃を最小限に留めることができ、端末の破損・故障を防ぐことができる。また、データを外部記憶にコピーすることにより、故障した場合でも最新のデータのバックアップが残るため、データ消失の問題を解決することができる。
【発明を実施するための最良の形態】
【００１４】
本発明の第１の実施の形態による携帯型端末について図１から図１０までを参照しながら以下に説明する。
【００１５】
図１は、本実施の形態による携帯型端末の一構成を示す図である。図１に示すように、携帯端末１は、制御部１１、記憶部１２、外部記憶部１３、無線通信部１４、操作部１５、表示部１６、加速度センサー１７、加速度判定部１８、衝撃軽減部１９を有して構成されている。携帯端末１は、例えば、折り畳み型やスライド型、スイーベル型、二軸回転型など、表面積をユーザが変更可能な形態の携帯電話機である。
【００１６】
制御部１１は、携帯端末１を制御するものであり、操作部１５からの入力情報を記憶部１２に記憶したり、表示部１６に操作部１５からの入力情報や記憶部１２の記憶情報を表示したりする。記憶部１２には、予め規定値となる加速度が設定されているが、操作部１５からこの規定値を設定・変更してもよい。無線通信部１４は、基地局と電波のやり取りを行っており、基地局サーバから情報を取得し、記憶部１２に設定値を記憶することも可能である。
【００１７】
携帯端末１に加速度がかかると、加速度センサー１７が加速度を検出し、制御部１１を介して加速度判定部１８に加速度センサー１７が検出した加速度を伝える。加速度判定部１８は、判定する加速度を制御部１１から受け取ると、規定値として記憶部１２に記憶された値と比較する。比較の結果は、加速度判定部１８から制御部１１に伝えられ、検出された加速度が規定値を超えていたら、規定値超過、規定値を超えていなければ規定値以下と判定される。規定値以下の場合は処理終了となり、繰り返し加速度センサー１７で加速度検出を行う。
【００１８】
規定値超過と伝えられると、制御部１１は衝撃軽減部１９を稼動させ、携帯端末１の表面積が小さくなる方向に形状を変形させるように制御する。このような制御とは、例えば、折り畳み型端末であれば折り畳んだ形状、スライド型端末であればスライドさせてない形状、スイーベル型・二軸回転型端末であれば表示部１６を内側にして折り畳んだ形状である。表示部１６が２つある場合は、メインの方（主として面積が大きい方）を保護するように内側にする制御である。衝撃軽減部１９により、携帯端末１が表面積の一番小さい形状になると、記憶部１２の情報が複製され外部記憶部１３に記憶される。複製されたデータが外部記憶部１３の記憶可能容量を超える場合は、重要度を考慮して重要なものから記憶されるように制御する。外部記憶部１３に記憶される情報やその重要度を操作部１５から事前に指定しておくことも可能である。尚、ここでは衝撃軽減部１９の稼働後、記憶部１２の情報が複製され外部記憶部１３に記憶されているが、この動作は同時に行われてもよい。
【００１９】
尚、上記の例では、外部記憶部（外部メモリ）１３を、携帯端末１内の構成として記載しているが、外部記憶部１３は、例えば携帯端末のユーザの自宅又は会社内のサーバに設けられているものであっても良い。このようにすると、携帯端末１を失ってしまった場合でも、自宅又は会社のサーバ内の外部記憶部に重要なデータが残るため、重要なデータの消失を防止することが可能である。尚、この場合には、加速度判定部１８から制御部１１に伝えられ、検出された加速度が規定値を超えていたら、無線通信部１４からアンテナ２０を介して自宅又は会社などのサーバに対して無線によりデータを送信するように制御する。このようにしてサーバ内の外部記憶部１３‘に記憶させる。尚、この際には、データを複写して外部メモリに送っても良いし、ムーブにより送っても良い。ムーブにより送ると、万一他人に携帯端末を取得された場合でも、重要な情報を知られずに済むという利点がある。例えば、加速度が大きく、破損の可能性が大きい場合には、携帯端末外にデータを転送するようにしても良い。
【００２０】
次に、図２と図３を合わせて説明する。図２は、本発明の第２の実施の形態による携帯端末の一構成例であり、携帯端末２は、制御部２１、記憶部２２、外部記憶部２３、無線通信部２４、操作部２５、表示部２６、加速度センサー２７、加速度判定部２８、衝撃軽減部２９、加速度報知部３０、を含んで構成されている。図３は、携帯端末２とそれを覆う保護カバー３を図示しており、保護カバー３は、制御部３１、加速度報知受信部３２、端末保護部３３、緩衝材３４を含んで構成されている。尚、図３の携帯端末２は、図２の携帯端末２と同一のものであり、便宜的に加速度報知部３０以外のブロックを省略している。
【００２１】
制御部２１は、携帯端末２を制御するものであり、操作部２５からの入力情報を記憶部２２に記憶したり、表示部２６に操作部２５からの入力情報や記憶部２２の記憶情報を表示したりする。記憶部２２には、予め規定値となる加速度が設定されているが、操作部２５からこの規定値を設定してもよい。無線通信部２４は基地局と電波のやり取りを行っており、基地局サーバから情報を取得し、記憶部２２に記憶することも可能である。携帯端末２に加速度がかかると、加速度センサー２７が加速度を検出し、制御部２１を介して加速度判定部２８に加速度センサー２７が検出した加速度が伝えられる。
【００２２】
加速度判定部２８は、制御部２１から判定する加速度を受け取ると、規定値として記憶部２２に記憶された値と比較する。比較の結果は、加速度判定部２８から制御部２１に伝えられ、検出された加速度が規定値を超えていたら、規定値超過と判定し、規定値を超えていなければ規定値以下と判定される。
【００２３】
加速度以下の場合は処理終了となり、繰り返し加速度センサー２７で加速度検出を行う。加速度超過と伝えられると、制御部２１は衝撃軽減部２９を稼動させ、携帯端末２の表面積が一番小さくなる形状にする。例えば、折り畳み型ならば折り畳んだ形状、スライド型ならばスライドさせてない形状、スイーベル型・二軸回転型ならば表示部２６を内側にして折り畳んだ形状である。表示部２６が二つある場合は、メインの方を内側にする。衝撃軽減部２９により携帯端末２が表面積の一番小さい形状になると、記憶部２２の情報が複製され外部記憶部２３に記憶される。複製されたデータが外部記憶部２３の記憶可能容量を超える場合は、重要度を考慮して重要な順に記憶される。外部記憶部２３に記憶される情報やその重要度を操作部２５から事前に指定しておくことも可能である。尚、ここでは、衝撃軽減部２９の稼働後、記憶部２２の情報が複製され外部記憶部２３に記憶されているが、この動作が同時に行われてもよい。
【００２４】
記憶部２２の情報が複製され外部記憶部２３に記憶されると、制御部２１は加速度報知部３０を稼動させる。尚、ここでは制御部２１は外部記憶部２３に情報を記憶させた後に加速度報知部３０を稼動させているが、外部記憶部２３への記憶と加速度報知部３０を同時に稼動させてもよい。つまり、衝撃軽減部２９と外部記憶部２３、加速度報知部３０は同時に稼働可能である。加速度報知部３０は、光もしくは音、信号などの手段で加速度超過の報知を行う。保護カバー３の加速度報知受信部３２は、加速度報知部３０が稼働するとこれを制御部３１に伝え、制御部３１は端末保護部３３を稼働させて緩衝材３４が携帯端末２を覆う。これにより、携帯端末２は衝撃を最小限に軽減することができる。ここでは、保護カバー３は携帯端末２に装着され、保護カバー３に独立して制御部３１があるが、携帯端末２内に保護カバー３が備え付けられており、加速度報知部３０により端末保護部３３が稼働し、携帯端末２を緩衝材３４が覆う構成でもよく、その場合、制御部２１が制御部３１を兼ねることができ、加速度報知受信部３２は必要ない。
【００２５】
図４から図９までは、本実施の形態による第１の携帯端末の動作の流れを示すフローチャート図である。これらの図では、携帯端末は折り畳み型であるものとするが、表面積をユーザが変更可能であれば、スライド型、スイーベル型、二軸回転型などでもよい。尚、図中、Ｓはフローの各ステップを示す。
【００２６】
携帯端末の電源がＯＮになると（Ｓ１０１）加速度センサーが稼動し、加速度の検出を行う（Ｓ１０２）。加速度が検出されると（Ｓ１０２：Ｙｅｓ）、加速度が予め設定された規定値を超えているか否かを判定する（Ｓ１０３）。加速度が検出されない、もしくは検出されても規定値以下であった場合は（Ｎｏ）、加速度検出の処理ステップ（Ｓ１０２）を続ける。加速度判定（Ｓ１０３）で加速度が規定値超過と判定されると（Ｙｅｓ）、衝撃軽減機能が稼働し、端末が閉じられている状態か否かを確認する（Ｓ１０４）。端末が閉じられていれば（Ｙｅｓ）、加速度検出の処理ステップ（Ｓ１０２）を続け、端末が閉じられていなければ（Ｎｏ）、折り畳み動作を行う（Ｓ１０５）。全ての処理が終わると、加速度検出の処理ステップ（Ｓ１０２）に戻りこの処理を続ける。携帯端末の電源をＯＮしなくても、加速度センサーのみは稼動するようにしても良い。電源ＯＦＦでも保護したい場合があるからである。以下についても同様である。
【００２７】
次に、第２の携帯端末の動作について図５を参照しながら説明する。携帯端末の電源がＯＮになると（Ｓ２０１）加速度センサーが稼動し、加速度の検出を行う（Ｓ２０２）。加速度が検出されると（Ｓ２０２）、加速度が予め設定された規定値を超えているか判定される（Ｓ２０３）。加速度が検出されない、もしくは検出されても規定値以下であった場合は（いずれかがＮｏ）、加速度検出の処理ステップ（Ｓ２０２）を続ける。加速度判定（Ｓ２０３）で加速度が規定値超過と判定されると（Ｙｅｓ）、衝撃軽減機能が稼働し、端末が閉じられている状態か確認する（Ｓ２０４）。端末が閉じられていれば（Ｙｅｓ）、加速度報知をＯＮにし（Ｓ２０６）、端末が閉じられていなければ（Ｎｏ）、折り畳み動作（Ｓ２０５）を行った後、加速度報知をＯＮにする（Ｓ２０６）。全ての処理が終わると、加速度検出の処理ステップ（Ｓ２０２）に戻り動作を継続する。
【００２８】
次に、第３の携帯端末の動作について図６を参照しながら説明する。携帯端末の電源がＯＮになると（Ｓ３０１）加速度センサーが稼動し、加速度の検出を行う（Ｓ３０２）。加速度が検出されると（Ｓ３０２）、加速度が予め設定された規定値を超えているか否かが判定される（Ｓ３０３）。加速度が検出されない、もしくは検出されても規定値以下であった場合は（Ｎｏ）、加速度検出の処理ステップ（Ｓ３０２）を続ける。加速度判定（Ｓ３０３）で加速度が規定値超過と判定されると（Ｙｅｓ）、衝撃軽減機能が稼働し、端末が閉じられている状態か否かを確認する（Ｓ３０４）。端末が閉じられていれば（Ｙｅｓ）、加速度報知をＯＮにし（Ｓ３０６）、端末が閉じられていなければ（Ｎｏ）、折り畳み動作を行った後（Ｓ３０５）、加速度報知をＯＮにする（Ｓ３０６）。加速度報知がＯＮになる（Ｓ３０６）と、連動して保護カバーがＯＮになり（Ｓ３０７）、端末全体を覆う。加速度が０もしくは保護カバーがユーザの手によってしまわれると、全ての処理が終わったものとみなされ、加速度検出の処理ステップ（Ｓ３０２）を続ける。ここでは、加速度を０もしくは保護カバーがしまわれたら、全ての処理が終わったとみなされる、としたが、リセットボタンのようなものを用意してもよく、他に加速度検出（Ｓ３０２）を始める条件を設定しておいてもよい。
【００２９】
次に、第４の携帯端末の動作について図７を参照しながら説明する。携帯端末の電源がＯＮになると（Ｓ４０１）加速度センサーが稼動し、加速度の検出を行う（Ｓ４０２）。加速度が検出されると（Ｓ４０２）、加速度が予め設定された規定値を超えているか判定される（Ｓ４０３）。加速度が検出されない、もしくは検出されても規定値以下であった場合は（Ｎｏ）、加速度検出の処理ステップ（Ｓ４０２）を続ける。加速度判定（Ｓ４０３）で加速度が規定値超過と判定されると（Ｙｅｓ）、衝撃軽減機能が稼働し、端末が閉じられている状態か否かを確認する（Ｓ４０４）。端末が閉じられていれば（Ｙｅｓ）、記憶部のデータが外部メモリにコピーされ（Ｓ４０６）、端末が閉じられていなければ（Ｎｏ）、折り畳み動作を行った後（Ｓ４０５）、記憶部のデータが外部メモリにコピーされる（Ｓ４０６）。全ての処理が終わると、加速度検出の処理ステップ（Ｓ４０２）を続ける。
【００３０】
次に、第５の携帯端末の動作について図８を参照しながら説明する。携帯端末の電源がＯＮになると（Ｓ５０１）加速度センサーが稼動し、加速度の検出を行う（Ｓ５０２）。加速度が検出されると（Ｓ５０２）、加速度が予め設定された規定値を超えているか判定される（Ｓ５０３）。加速度が検出されない、もしくは検出されても規定値以下であった場合は（Ｎｏ）、加速度検出の処理ステップ（Ｓ５０２）を続ける。加速度判定（Ｓ５０３）で加速度が規定値超過と判定されると（Ｙｅｓ）、衝撃軽減機能が稼働し、端末が閉じられている状態か確認する（Ｓ５０４）。端末が閉じられていれば（Ｙｅｓ）、記憶部のデータが外部メモリにコピーされ（Ｓ５０６）、端末が閉じられていなければ（Ｎｏ）、折り畳み動作を行った後（Ｓ５０５）、記憶部のデータが外部メモリにコピーされる（Ｓ５０６）。記憶部のデータが外部メモリにコピーされると（Ｓ５０６）、加速度報知がＯＮになる（Ｓ５０７）。尚、この例では記憶部データが外部メモリにコピーされた（Ｓ５０６）後、加速度報知がＯＮになっているが（Ｓ５０７）、これらの動作は同時に行われてもよい。全ての処理が終わると、加速度検出の処理ステップ（Ｓ５０２）を続ける。
【００３１】
次に、第６の携帯端末の動作について図９を参照しながら説明する。携帯端末の電源がＯＮになると（Ｓ６０１）加速度センサーが稼動し、加速度の検出を行う（Ｓ６０２）。加速度が検出されると（Ｓ６０２）、加速度が予め設定された規定値を超えているか判定される（Ｓ６０３）。加速度が検出されない、もしくは検出されても規定値以下であった場合は（Ｎｏ）、加速度検出の処理ステップ（Ｓ６０２）を続ける。加速度判定（Ｓ６０３）で加速度が規定値超過と判定されると（Ｙｅｓ）、衝撃軽減機能が稼働し、端末が閉じられている状態か確認する（Ｓ６０４）。端末が閉じられていれば（Ｙｅｓ）、記憶部のデータが外部メモリにコピーされ（Ｓ６０６）、端末が閉じられていなければ（Ｎｏ）、衝撃軽減のため折り畳み動作を行った後（Ｓ６０５）、記憶部のデータが外部メモリにコピーされる（Ｓ６０６）。記憶部のデータが外部メモリにコピーされると（Ｓ６０６）、加速度報知がＯＮになる（Ｓ６０７）。尚、この例では記憶部データが外部メモリにコピーされた（Ｓ６０６）後、加速度報知がＯＮになっているが（Ｓ６０７）、これらの動作は同時に行われてもよい。加速度報知がＯＮになる（Ｓ６０７）と、連動して保護カバーがＯＮになり（Ｓ６０８）、端末を覆う。加速度が０もしくは保護カバーがユーザの手によってしまわれると、全ての処理が終わったとみなされ、加速度検出の処理ステップ（Ｓ６０２）を続ける。ここでは、加速度を０もしくは保護カバーがしまわれたら、全ての処理が終わったとみなされる、としたが、リセットボタンのようなものを用意してもよく、他に加速度検出（Ｓ６０２）を始める条件を設定しておいてもよい。
【００３２】
以上の第１から第６までの動作の流れのうちいずれを選択するかに関して、機種毎に予め設定されていても良いし、いくつかの選択肢がある場合にはユーザが設定しても良い。検出された加速度の値によっていずれの動作にするかを入力手段により選択しても良い。
【００３３】
図１０は、本発明の携帯型端末の具体的な実施例を示す模式図である。図１０（ａ）は、モバイルＳｕｉｃａ機能付携帯端末１０５を改札機１０７のセンサー１０８に読み取らせる場面を想定している。携帯端末１０５を改札機１０７のセンサー１０８に読み込ませる場合、軽く触れる程度ならば問題ないが、カードのように加速をつけて触れさせようとすると、携帯端末１０５は加速度を検出し、保護カバー１０６の緩衝材が稼動する。これにより、衝撃を弱めることができる。図１０（ｂ）は折り畳み型携帯端末１０９が開いたまま落下する場面を想定している。折り畳み型携帯端末１０９が加速度を検出すると、端末の状態を確認する。開いている状態であれば、強制的に端末を閉じ、或いは、更に保護カバー１１０の緩衝材を稼動させて、落下時の衝撃軽減に備えることができる。
【００３４】
図１１は、本実施の形態による保護カバーの具体的な実施例を示す模式図である。図１１（ａ）は、保護カバー１１３を有する折り畳み型携帯端末１１１の例である。保護カバー１１３は電池蓋１１２の内側に内蔵されており、電池蓋１１２は携帯端末１１１につながれている。加速度が検出され保護機能が稼働すると、携帯端末１１１は電池蓋１１２に保護機能稼働の信号を送り、電池蓋１１２を介して保護カバー１１３に送られる。保護カバー１１３は信号を受け取ると、圧縮されていた緩衝材を稼働させ携帯端末１１１を包み込むように広がり衝撃から保護する。
【００３５】
図１１（ｂ）は、カスタムパネルを脱着可能な折り畳み型携帯端末１１４の例である。カスタムパネル１１５は、図１１（ａ）の電池蓋１１２と同様に、保護カバー１１６を内側に内蔵しており携帯端末１１４と接続され、カスタムパネル１１８は、パネル自体が保護カバーとなり、前述の図１１（ａ）の保護カバー１１３や保護カバー１１６と同じ素材でできているのが好ましい。カスタムパネル１１５装着時は、加速度が検出され保護機能が稼働すると、携帯端末１１４は接合部１１７を介して保護カバー１１６に保護機能稼働の信号を送る。保護カバー１１６は信号を受け取ると、圧縮されていた緩衝材を稼働させ、携帯端末１１４を包み込んで衝撃から保護する。一方、カスタムパネル１１８装着時は、加速度が検出され保護機能が稼働すると、カスタムパネル１１８の緩衝材が広がり、携帯端末１１４を包み込むことにより携帯端末を衝撃から保護する。
【００３６】
尚、図１１（ａ）（ｂ）共に携帯端末を保護するとき、上記のように受け取った信号により衝撃吸収剤が端末全体を包み込む態様でもよく、或いは、保護カバーとして空気によりふくらむ形態のものを利用し、その中に空気が入ることで携帯端末を覆う態様でもよい。
【００３７】
また、加速度を検出した場合に、表面積を最小にする方法の他に、端末の初期状態にする方法でも良い。
【００３８】
以上に説明したように、本実施の形態によれば、端末が衝撃を受ける前に対策がとられるので衝撃を最小限に留めることができ、端末の破損・故障を防ぐことができる。また、データを外部記憶にコピーすることで、故障した場合でも最新のデータのバックアップが残るようにすれば、データに関して２重の保護を行うことができる。尚、外部コピーと保護とを併せて行なうようにしても良い。例えば、加速度が大きい場合には、念のため装置の破損からの保護とデータ消失からの保護との両方の保護を行なうのが好ましい。
【産業上の利用可能性】
【００３９】
本発明は携帯電話機に利用可能である。
【図面の簡単な説明】
【００４０】
【図１】本発明の第１の実施の形態による携帯型端末の構成例を示す機能ブロック図である。
【図２】本の第２の実施の形態による携帯型端末の構成例を示す機能ブロック図である。
【図３】本発明による携帯型端末の一実施形態例を示す機能ブロック図である。
【図４】本実施の形態による携帯型端末の第１の動作を示すフローチャートである。
【図５】本実施の形態による携帯型端末の第２の動作を示すフローチャートである。
【図６】本実施の形態による携帯型端末の第３の動作を示すフローチャートである。
【図７】本実施の形態による携帯型端末の第４の動作を示すフローチャートである。
【図８】本実施の形態による携帯型端末の第５の動作を示すフローチャートである。
【図９】本実施の形態による携帯型端末の第６の動作を示すフローチャートである。
【図１０】本実施の形態による携帯型端末の例を示す模式図である。
【図１１】図１１（ａ）、図１１（ｂ）は、本実施の形態による携帯型端末の例を示す模式的な図である。
【符号の説明】
【００４１】
１…携帯端末、１１…制御部、１２…記憶部、１３…外部記憶部、１４…無線通信部、１５…操作部、１６…表示部、１７…加速度センサー、１８…加速度判定部、１９…衝撃軽減部。
【図１】
2007158694.tif 000003
【図２】
2007158694.tif 000004
【図３】
2007158694.tif 000005
【図４】
2007158694.tif 000006
【図５】
2007158694.tif 000007
【図６】
2007158694.tif 000008
【図７】
2007158694.tif 000009
【図８】
2007158694.tif 000010
【図９】
2007158694.tif 000011
【図１０】
2007158694.tif 000012
【図１１】
2007158694.tif 000013